(57)【要約】【解決手段】３次元導電性パッチが与えられる。本３次元導電性パッチは、レイヤを備え、前記レイヤは、複数の絡み合った繊維を有し、前記複数の絡み合った繊維は、導電性繊維と、非導電性繊維と、を含み、前記レイヤは、第１の部分としての基本布表面と、第２の部分としての導電性繊維の群と、前記レイヤの第１の基本繊維と、前記レイヤの第２の基本繊維と、を有し、前記第１の部分は、前記レイヤの第１の側面から、前記レイヤの第２の側面に延びており、前記第１の部分は、前記レイヤの第１の端部から、前記レイヤの第２の端部に延びており、前記第１の基本繊維は、前記第２の部分の第１の端部に配置され、前記第２の基本繊維は、前記第２の部分の第２の端部に配置され、前記第２の部分は、前記第１の部分に対して、前記第１の基本繊維及び前記第２の基本繊維を経由して配置され、前記第２の部分は、前記第２の部分の第１の端部で、前記第１の基本繊維と絡み合わされ、前記第２の部分は、前記第２の部分の第２の端部で、前記第２の基本繊維と絡み合わされ、前記第２の部分は、ループを形成し、前記ループは、前記第１の部分から延びており、前記ループは、頂点と、前記ループの第１のパートと、前記ループの第２のパートと、を有し、前記頂点は、前記第１の部分から空間的に離れており、前記ループの前記第１のパートは、前記第１の基本繊維から、前記頂点に向けて延びており、前記ループの前記第２のパートは、前記ループの前記第１のパートに対向し、前記ループの前記第２のパートは、前記第２の基本繊維から、前記頂点に向けて延びており、前記第２の部分は、前記第１の部分と一体化している。【選択図】図６Ａ
2018535335.tif 000002
【特許請求の範囲】
【請求項１】
レイヤを備え、
前記レイヤは、複数の絡み合った繊維を有し、
前記複数の絡み合った繊維は、導電性繊維と、非導電性繊維と、を含み、
前記レイヤは、第１の部分としての基本布表面と、第２の部分としての導電性繊維の群と、前記レイヤの第１の基本繊維と、前記レイヤの第２の基本繊維と、を有し、
前記第１の部分は、前記レイヤの第１の側面から、前記レイヤの第２の側面に延びており、前記第１の部分は、前記レイヤの第１の端部から、前記レイヤの第２の端部に延びており、
前記第１の基本繊維は、前記第２の部分の第１の端部に配置され、前記第２の基本繊維は、前記第２の部分の第２の端部に配置され、
前記第２の部分は、前記第１の部分に対して、前記第１の基本繊維及び前記第２の基本繊維を経由して配置され、前記第２の部分は、前記第２の部分の第１の端部で、前記第１の基本繊維と絡み合わされ、前記第２の部分は、前記第２の部分の第２の端部で、前記第２の基本繊維と絡み合わされ、前記第２の部分は、ループを形成し、
前記ループは、前記第１の部分から延びており、前記ループは、頂点と、前記ループの第１のパートと、前記ループの第２のパートと、を有し、
前記頂点は、前記第１の部分から空間的に離れており、
前記ループの前記第１のパートは、前記第１の基本繊維から、前記頂点に向けて延びており、
前記ループの前記第２のパートは、前記ループの前記第１のパートに対向し、前記ループの前記第２のパートは、前記第２の基本繊維から、前記頂点に向けて延びており、
前記第２の部分は、前記第１の部分と一体化している、３次元導電性パッチ。
【請求項２】
前記第１の基本繊維は、前記第２の基本繊維に接続している、請求項１に記載の３次元導電性パッチ。
【請求項３】
前記頂点は、１つ以上の繊維を有する、請求項１に記載の３次元導電性パッチ。
【請求項４】
前記ループの前記第１のパートと前記ループの前記第２のパートとは、前記頂点で接続している、請求項１に記載の３次元導電性パッチ。
【請求項５】
前記ループの前記第１のパートと前記ループの前記第２のパートとは、前記基本布表面で接続している、請求項１に記載の３次元導電性パッチ。
【請求項６】
前記第１のパート及び前記第２のパートの少なくとも１つは、前記ループの延びを容易に維持するための非導電性繊維を備える、請求項１に記載の３次元導電性パッチ。
【請求項７】
前記第１の基本繊維は第１の非導電性繊維に接続し、前記第２の基本繊維は第２の非導電性繊維に接続し、前記第１の非導電性繊維及び第２の非導電性繊維の各々は互いに一体化している、請求項１に記載の３次元導電性パッチ。
【請求項８】
前記ループを隣接するループに電気的に接続するために、前記第１の非導電性繊維及び前記第２の非導電性繊維の少なくとも１つは、隣接する導電性繊維に結合しており、
前記隣接する導電性繊維は、以下のレイヤ、すなわち、前記基本布表面に隣接し、前記ループの前記第１のパート及び前記第２のパートの少なくとも１つに隣接するレイヤから延びている、請求項７に記載の３次元導電性パッチ。
【請求項９】
前記第１の基本繊維は前記ループの前記第１のパートに配置され、前記第２の基本繊維は前記ループの前記第２のパートに配置される、請求項１に記載の３次元導電性パッチ。
【請求項１０】
前記第１の基本繊維及び前記第２の基本繊維は、前記第１の基本繊維及び前記第２の基本繊維が互いに隣接するように、前記レイヤの前記第１の部分に配置される、請求項１に記載の３次元導電性パッチ。
【請求項１１】
前記レイヤは、第２のループを備え、
前記第２のループは前記基本布表面から延びており、前記第２のループは第２の頂点を有し、
前記第２の頂点は前記第１の部分から空間的に離れており、
前記第２のループは、前記ループと前記第２の基本繊維との間に配置される、請求項１に記載の３次元導電性パッチ。
【請求項１２】
前記第１のパート及び前記第２のパートの少なくとも１つは、前記ループと前記第２のループとの間に電気的絶縁を与えるための非導電性繊維を備える、請求項１１に記載の３次元導電性パッチ。
【請求項１３】
請求項１に記載された導電性パッチを備える、衣類。
【請求項１４】
前記レイヤに接続された１つ以上の電気的コネクタと、電気経路と、を更に備え、
前記１つ以上の電気的コネクタは、制御器が前記導電性パッチに接続されたときの、前記制御器と前記導電性パッチとの間の電気信号の受信及び送信を容易にするためのものであり、
前記電気経路は、１つ以上の導電性繊維から構成され、
前記導電性繊維は、複数の繊維の一部として、前記レイヤ内で絡み合わされており、
前記電気経路は、前記１つ以上の電気的コネクタ及び前記導電性パッチに電気的に接続されている、請求項１３に記載の衣類。
【請求項１５】
前記導電性パッチを含む第１の領域を前記レイヤ内に備え、前記第１の領域に隣接する第２の領域を前記レイヤ内に備え、
前記第１の領域は、前記第２の領域における前記複数の繊維の特性を反映した弾性に比べて、より低い度合いの、前記複数の繊維の特性を反映した弾性を有する、請求項１４に記載の衣類。
【請求項１６】
前記第２の領域は、前記導電性パッチを、前記レイヤ内の第２の導電性パッチから電気的に絶縁するための非導電性繊維を含む、請求項１５に記載の衣類。
【請求項１７】
前記第１の領域における前記複数の繊維のニットタイプは、前記第２の領域における前記複数の繊維のニットタイプと異なり、このニットタイプの相違は、内部の複数の繊維の特性を反映した第１の領域の弾性の度合いが、内部の複数の繊維の特性を反映した第２の領域の弾性より低いことの要因となる、請求項１５に記載の衣類。
【請求項１８】
前記第１の領域における前記複数の繊維は、前記電気経路に接続された導電性繊維と、非導電性繊維と、を両方含む、請求項１５に記載の衣類。
【請求項１９】
前記第１の領域における前記複数の繊維は、前記第２の領域における前記複数の繊維より、高いニット密度（１インチあたりの繊維数）を有する、請求項１５に記載の衣類。
【請求項２０】
前記第１の領域における前記複数の繊維は、前記第２の領域における前記複数の繊維より、低い度合いの弾性を有する、請求項１５に記載の衣類。
【請求項２１】
着衣者が動いたときに、下方にある着衣者の身体部分に隣接する前記衣類が運動することを禁止する目的で、前記ループは、下方にある身体部分に接触するために、前記基本布表面から直交方向に延びる、請求項１３に記載の衣類。
【請求項２２】
導電性パッチを製造する方法であって、
前記方法は、複数の繊維を絡み合わせることによりレイヤを形成するステップを備え、
前記複数の繊維は、導電性繊維と、非導電性繊維と、を備え、
前記レイヤは、第１の部分としての基本布表面と、第２の部分としての導電性繊維の群と、前記レイヤの第１の基本繊維と、前記レイヤの第２の基本繊維と、を有し、
前記第１の部分は、前記レイヤの第１の側面から、前記レイヤの第２の側面に延びており、
前記第１の部分は、前記レイヤの第１の端部から、前記レイヤの第２の端部に延びており、
前記第１の基本繊維は、前記第２の部分の第１の端部に配置され、
前記第２の基本繊維は、前記第２の部分の第２の端部に配置され、
前記第２の部分は、前記レイヤの内部で、前記第１の基本繊維と前記第２の基本繊維との間に配置され、
前記第２の部分は、前記第１の部分に隣接し、
前記第２の部分は、前記第２の部分の第１の端部で、前記第１の基本繊維と絡み合わされ、
前記第２の部分は、前記第２の部分の第２の端部で、前記第２の基本繊維と絡み合わされ、
前記方法は、前記第１の基本繊維と前記第２の基本繊維とを集めるステップを更に備え、
前記第１の基本繊維と前記第２の基本繊維とを集めるステップにより、前記第１の基本繊維と前記第２の基本繊維とは互いに隣接して、前記第２の部分を含む前記レイヤ内にループが生成され、
前記ループは、前記第１の部分から延びており、
前記ループは、１つ以上の繊維の頂点と、前記ループの第１のパートと、前記ループの第２のパートと、を有し、
前記頂点は、前記第１の部分から空間的に離れており、
前記ループの前記第１のパートは、前記第１の基本繊維から、前記頂点に向けて延びており、
前記ループの前記第２のパートは、前記ループの前記第１のパートに対向し、
前記ループの前記第２のパートは、前記第２の基本繊維から、前記頂点に向けて延びており、
前記方法は、前記第１の基本繊維と前記第２の基本繊維とを接続するステップを更に備え、
前記接続するステップの実行中に、前記第２の部分は、前記第１の部分と一体化する、方法。
【請求項２３】
前記第１のパート及び前記第２のパートの少なくとも１つは、前記ループの延びを容易に維持するための非導電性繊維を備える、請求項２２に記載の方法。
【請求項２４】
前記第１の基本繊維は第１の非導電性繊維に接続し、前記第２の基本繊維は第２の非導電性繊維に接続し、前記第１の非導電性繊維及び第２の非導電性繊維の各々は互いに一体化している、請求項２２に記載の方法。
【請求項２５】
前記ループを隣接するループに電気的に接続するために、前記第１の非導電性繊維及び前記第２の非導電性繊維の少なくとも１つは、隣接する導電性繊維に結合しており、
前記隣接する導電性繊維は、以下のように、すなわち、前記基本布表面に隣接し、かつ前記ループの前記第１のパート及び前記第２のパートの少なくとも１つに隣接するように、前記第１の部分から延びている、請求項２４に記載の方法。
【請求項２６】
前記第１の基本繊維は前記ループの前記第１のパートに配置され、前記第２の基本繊維は前記ループの前記第２のパートに配置される、請求項２２に記載の方法。
【請求項２７】
前記第１の基本繊維及び前記第２の基本繊維は、前記集めるステップを実行中、
前記第１の基本繊維及び前記第２の基本繊維が互いに隣接するように、前記レイヤの前記第１の部分に配置される、請求項２２に記載の方法。
【請求項２８】
前記レイヤは、第２のループを備え、
前記第２のループは、前記基本布表面から延びており、
前記第２のループは、前記第１の部分から空間的に離れた１つ以上の繊維の第２の頂点を有し、
前記第２のループは、前記ループと前記第２の基本繊維との間に配置される、請求項２２に記載の方法。
【請求項２９】
前記第１のパート及び前記第２のパートの少なくとも１つは、前記ループと前記第２のループとの間に電気的絶縁を与えるための非導電性繊維を備える、請求項２８に記載の方法。
【請求項３０】
請求項２２に記載された方法により製造される、３次元導電性パッチ。
【請求項３１】
請求項３０に記載された３次元導電性パッチを備える、衣類。
【発明の詳細な説明】
【技術分野】
【０００１】
本発明は、導電性パッチを備える衣類に関する。
【背景技術】
【０００２】
人の身体は、その人の皮膚に接触して取付けられた１つ以上の電極その他の導電性パッチを備える適切な電気機器を用いて検出することができる信号を発する。一般に電極は、人の皮膚との接触を維持するために、皮膚の適当な場所に糊付けされるか縛り付けられる。その後電極は、必然的に、適当な導線を用いてモニタ装置に接続される。こうしたタイプの構成はしばしば人にとって快適でなく、身体の発する信号がモニタされる間常に衣類を身に付けていることが必要な場合、取付けが困難となり得る。更にこうした構成は、運動選手やウォーキング中の人のように、人が運動しているとき、使用のための修正ができない。
【発明の概要】
【発明が解決しようとする課題】
【０００３】
このことから、センサと、人の身体からの信号をモニタする装置に接続するための電気伝導路とを形成する導電性パッチを衣類に与える目的で、電気伝導性の糸が衣類の内部に組み込まれてきた。特に、先行技術（例えば米国特許６，９７０，７３１号）は、織物レイヤ内に一体的に編み込まれる又は織り込まれる導電性パッチを形成する、電気伝導性の糸を与える。この場合導電性パッチは、織物のレイヤと同一平面内にある。従って、こうしたセンサとしての一体的な導電性パッチを備える先行技術の衣類は、着用中に織物のレイヤが動いて、センサを形成する導電性パッチが動いたりずれたりすると、一般にセンサとしての導電性パッチと、人の身体との間の接触を維持しない。こうした運動に起因して、センサは、着用者の身体から発せられる信号を正確にモニタすることができない。なぜなら、一般に着用者の身体が発する信号をモニタするためには、センサは着用者の身体の特定の部位との接触を維持する必要があるからである。
【課題を解決するための手段】
【０００４】
本明細書では、３次元導電性パッチが与えられる。  
本３次元導電性パッチは、レイヤを備え、
前記レイヤは、複数の絡み合った繊維を有し、
前記複数の絡み合った繊維は、導電性繊維と、非導電性繊維と、を含み、
前記レイヤは、第１の部分としての基本布表面と、第２の部分としての導電性繊維の群と、前記レイヤの第１の基本繊維と、前記レイヤの第２の基本繊維と、を有し、
前記第１の部分は、前記レイヤの第１の側面から、前記レイヤの第２の側面に延びており、前記第１の部分は、前記レイヤの第１の端部から、前記レイヤの第２の端部に延びており、
前記第１の基本繊維は、前記第２の部分の第１の端部に配置され、
前記第２の基本繊維は、前記第２の部分の第２の端部に配置され、
前記第２の部分は、前記第１の部分に対して、前記第１の基本繊維及び前記第２の基本繊維を経由して配置され、前記第２の部分は、前記第２の部分の第１の端部で、前記第１の基本繊維と絡み合わされ、前記第２の部分は、前記第２の部分の第２の端部で、前記第２の基本繊維と絡み合わされ、前記第２の部分は、ループを形成し、
前記ループは、前記第１の部分から延びており、前記ループは、頂点と、前記ループの第１のパートと、前記ループの第２のパートと、を有し、
前記頂点は、前記第１の部分から空間的に離れており、
前記ループの前記第１のパートは、前記第１の基本繊維から、前記頂点に向けて延びており、
前記ループの前記第２のパートは、前記ループの前記第１のパートに対向し、前記ループの前記第２のパートは、前記第２の基本繊維から、前記頂点に向けて延びており、
前記第２の部分は、前記第１の部分と一体化している。
【０００５】
別の態様では、本明細書で与えられる３次元導電性パッチを備える衣類が与えられる。
【０００６】
前記衣類の別の態様では、前記衣類は、前記レイヤに接続された１つ以上の電気的コネクタと、電気経路と、を備え、
前記１つ以上の電気的コネクタは、制御器が前記３次元導電性パッチに接続されたときの、前記制御器と前記導電性ニットパッチとの間の電気信号の受信及び送信を容易にするためのものであり、
前記電気経路は、１つ以上の導電性繊維から構成され、
前記導電性繊維は、複数の繊維の一部して、前記レイヤ内で絡み合わされており、
前記電気経路は、前記１つ以上の電気的コネクタ及び前記３次元導電性パッチに電気的に接続されている。
【０００７】
前記衣類の別の態様では、前記衣類は、前記導電パッチを含む第１の領域を前記レイヤ内に備え、前記衣類は、前記第１の領域に隣接する第２の領域を前記レイヤ内に備え、
前記第１の領域は、前記第２の領域における前記複数の繊維の特性を反映した弾性に比べて、より低い度合いの、前記複数の繊維の特性を反映した弾性を有する。
【０００８】
前記衣類の別の態様では、
前記第１の領域における前記複数の繊維のニットタイプは、前記第２の領域における前記複数の繊維のニットタイプと異なり、このニットタイプの相違は、内部の複数の繊維の特性を反映した第１の領域の弾性の度合いが、内部の複数の繊維の特性を反映した第２の領域の弾性より低いことの要因となる。
【０００９】
前記衣類の別の態様では、着衣者が動いたときに、下方にある着衣者の身体部分に隣接する前記衣類が運動することを禁止する目的で、前記ループは、下方にある身体部分に接触するために、前記基本布表面から直交方向に延びる。
【００１０】
別の態様では、導電性パッチを製造する方法が与えられる。  
本方法は、複数の繊維を絡み合わせることによりレイヤを形成するステップを備え、
前記複数の繊維は、導電性繊維と、非導電性繊維と、を備え、
前記レイヤは、第１の部分としての基本布表面と、第２の部分としての導電性繊維の群と、前記レイヤの第１の基本繊維と、前記レイヤの第２の基本繊維と、を有し、
前記第１の部分は、前記レイヤの第１の側面から、前記レイヤの第２の側面に延びており、前記第１の部分は、前記レイヤの第１の端部から、前記レイヤの第２の端部に延びており、
前記第１の基本繊維は、前記第２の部分の第１の端部に配置され、
前記第２の基本繊維は、前記第２の部分の第２の端部に配置され、
前記第２の部分は、前記レイヤの内部で、前記第１の基本繊維と前記第２の基本繊維との間に配置され、前記第２の部分は、前記第１の部分に隣接し、前記第２の部分は、前記第２の部分の第１の端部で、前記第１の基本繊維と絡み合わされ、前記第２の部分は、前記第２の部分の第２の端部で、前記第２の基本繊維と絡み合わされ、
前記方法は、前記第１の基本繊維と前記第２の基本繊維とを集めるステップを更に備え、
前記第１の基本繊維と前記第２の基本繊維とを集めるステップにより、前記第１の基本繊維と前記第２の基本繊維とは互いに隣接して、前記第２の部分を含む前記レイヤ内にループが生成され、
前記ループは、前記第１の部分から延びており、前記ループは、１つ以上の繊維の頂点と、前記ループの第１のパートと、前記ループの第２のパートと、を有し、
前記頂点は、前記第１の部分から空間的に離れており、
前記第１のパートは、前記第１の基本繊維から、前記頂点に向けて延びており、
前記第２のパートは、前記第１のパートに対向し、前記第２のパートは、前記第２の基本繊維から、前記頂点に向けて延びており、
前記方法は、前記第１の基本繊維と前記第２の基本繊維とを接続するステップを更に備え、
前記接続するステップの実行中に、前記第２の部分は、前記第１の部分と一体化する。
【図面の簡単な説明】
【００１１】
以下、添付の図面を参照して、より完全に本発明を説明する。これらの図面には、本発明のいくつかの（しかしすべてではない）実施形態が示される。実際本発明は、多数の異なる実施形態を取ることができ、本明細書で説明される実施形態に限定されると解釈すべきではない。これらの実施形態はむしろ、本開示が適用可能な法的要求を満足するような形で与えられる。全体を通して、同じ符号は同じ部品を示す。
【図１Ａ】一例に係る導電性ニットパッチの斜視図である。
【図１Ｂ】導電性布の高さ／高度を露出させるために曲げられた、第２の例に係る導電性ニットパッチのズームイン図である。
【図２Ａ】一例に係る、拡張形態における導電性ニットパッチの単一のセグメントを上から見下ろした図である。
【図２Ｂ】図２Ａの例の、拡張形態における導電性ニットパッチの単一のセグメントの断面図である。
【図３Ａ】一例に係る、ループ形態における導電性ニットパッチの単一のセグメントを上から見下ろした図である。
【図３Ｂ】図３Ａの例の、ループ形態における導電性ニットパッチの単一のセグメントの断面図である。
【図３Ｃ】図３Ａに類似した導電性ニットパッチに関するＳＡＮＴＯＮＩ（登録商標）パターンを示す図である。
【図４Ａ】第２の例に係る、拡張形態における導電性ニットパッチの単一のセグメントの断面図である。
【図４Ｂ】図４Ａの例の、ループ形態における導電性ニットパッチの単一のセグメントの断面図である。
【図４Ｃ】図３Ｂに類似した導電性ニットパッチに関するＳＡＮＴＯＮＩパターンを示す図である。
【図５Ａ】第３の例に係る、拡張形態における導電性ニットパッチの単一のセグメントの断面図である。
【図５Ｂ】図５Ａの例の、ループ形態における導電性ニットパッチの単一のセグメントの断面図である。
【図６Ａ】一例に係る、３つのセグメントを持つ導電性ニットパッチの、すべて同じ高さ／高度のセグメントの断面図である。
【図６Ｂ】図６Ａに類似した導電性ニットパッチの３つのセグメントに関するＳＡＮＴＯＮＩパターンを示す図である。
【図６Ｃ】基本布上のニットとしての複数のセグメントを持つ導電性ニットパッチ全体に関するＳＡＮＴＯＮＩパターンを示す図である。
【図６Ｄ】基本布上のニットとしての複数のセグメントを持つ２つの全体導電性ニットパッチに関するＳＡＮＴＯＮＩパターンを示す図である。
【図７Ａ】一例に係る、３つのセグメント（例えばループ）を持つ導電性ニットパッチであって、縁部のセグメントの方が中央部のセグメントより高さ／高度が低いものの断面図である。
【図７Ｂ】、３つのセグメントを持ち、縁部のセグメントの方が中央部のセグメントより高さ／高度が低い導電性ニットパッチの例に関するＳＡＮＴＯＮＩパターンを示す図である。
【図８】衣類の残りの部分と硬さが異なる部分に一体的に編み込まれた、一例に係る導電性ニットパッチの斜視図である。
【図９Ａ】一例に係る導電性ニットパッチを有する衣類の一例の側面図である。
【図９Ｂ】一例に係る導電性ニットパッチを有する衣類の第２の例の側面図である。
【図９Ｃ】一例に係る導電性ニットパッチを有する衣類の第３の例の側面図である。
【図９Ｄ】一例に係る導電性ニットパッチを有する衣類の第４の例の側面図である。
【図１０】一例に係る導電性ニットパッチのレイヤ１１の斜視図である。
【図１１】衣類のレイヤの複数の繊維の絡み合いの例を示す図である。
【図１２】衣類のレイヤの複数の繊維の絡み合いの更なる例を示す図である。
【発明を実施するための形態】
【００１２】
以下、添付の図面を参照して、より完全に本発明を説明する。これらの図面には、本発明のいくつかの（しかしすべてではない）実施形態が示される。実際本発明は、多数の異なる実施形態を取ることができ、本明細書で説明される実施形態に限定されると解釈すべきではない。これらの実施形態はむしろ、本開示が適用可能な法的要求を満足するような形で与えられる。文脈上明らかに異なる場合を除き、本明細書及び請求項において、単数形の「ａ」「ａｎ」「ｔｈｅ」は複数の指示対象を含む。
【００１３】
本明細書において、衣類とマイクロエレクトロニクスとを組み合わせて着用可能な布（例えば衣類）を形成するシステムであって、３次元の導電性ニットパッチ２を持つものが開示される。
【００１４】
図１Ａに、本開示に係る３次元の導電性ニットパッチ２の一例が示される。本例では、３次元の導電性ニットパッチ２は、第１の一部としての基本布１０（例えば表面）から構成される。基本布１０は、単一のレイヤ１１の第２の部分としての導電性布８（例えば一群の導電性繊維）とともに一体的に形成される（例えば編まれる）（図１０も参照）。
【００１５】
本明細書では、「一体化された」「一体的に」とは、全体的に調和が取れ、首尾一貫した相互関係を持たせることを目的に、分離した要素を結合させる、統合させる、あるいは合体させることを指す点に注意されたい。布という文脈において、布は、異なる構造的特性を持つ繊維のネットワークを備えた様々な部分を有していてよい。例えば布は、導電性繊維のネットワークを備える部分と、非導電性繊維のネットワークを備える部分と、を有していてよい。ネットワークの少なくとも１つの繊維が他のネットワークの少なくとも１つの繊維と絡み合って、これらの２つのネットワークが布のレイヤを形成している場合、繊維のネットワークを備える２つ以上の部分は互いに、布に「一体化されている」（又は「一体的に形成されている」）と呼ばれる。更に、一体化されているときは、布の２つの部分は元の布から実質的に分離できないということもできる。ここで「実質的に分離できない」とは、布の部分同士を分離すると、布自身が分解又は破壊されることを意味する。
【００１６】
いくつかの例では、第１の部分としての導電性布８（例えば一群の導電性繊維）は、例えばＳＡＮＴＯＮＩ円形編機（しかしこれに限定されない）を用いて、基本布１０（例えば表面）に沿って（例えば一体化されて）レイヤ１１内に編み込まれることができる。より大きな衣類１が導電性ニットパッチ２を含むように、導電性ニットパッチ２の基本布１０は、衣類１の一部となり得る。いくつかの実施形態の例では、導電性ニットパッチ２は、ＳＡＮＴＯＮＩ円形編機を用いて、衣類１内に一体的に編み込まれることができる。
他の実施形態では、ニットパッチ２は、他の好適に構成された編機を用いて、編み込まれる又は織り込まれる／縫い付けられることができる。
【００１７】
衣類１（例えば布ベースの製品）は、ユーザ（例えば人、図示せず）によって使用される。衣類１は、ニット編物、編布、カットアンドソー、ニット布、非ニット布、ユーザに触れるあるいは触れない素材、マット、パッド、シートカバー等、更にこれらの任意の順列（及び／又は）組み合わせ（これらの任意の均等物）の任意のいずれか（しかしこれに限定されない）を含み得る。衣類１は、統合型機能性布類を含み得る。いくつかの実施例はニット衣類について記述することが理解できるだろう。更に、これらの実施形態は、任意の布の形態（及び／又は）技術、例えば編物、ニット、縦糸、横糸等にも拡張できることが理解できるだろう。実施形態はニット衣類に限定されない。図面（図）は（示されているところでは）、ニットベースの布１０を対象にしてよいことが理解できるだろう。更に、基本布１０は、基本布１０に関する任意の形態、例えば編物、ニット、縦糸、横糸等の一例であることが理解できるだろう。更に、ニット衣類に関する任意の記述（及び／又は）説明は、本実施形態の範囲を限定しないことが理解できるだろう。ある実施形態では、任意の布製造技術で作成された衣類１が与えられる（ニット布衣類は、このような構成の一部に過ぎない）。
【００１８】
本明細書における「布」は、組織化された繊維のネットワークを形成するために、自然又は人工の繊維を操作し絡み合わせて作られた（又は形成された）任意の素材を指す点に注意されたい。一般に布は、紡績糸を用いて生成される。ここで紡績糸とは、結合された（例えば対にされた、あるいは撚り合わされたといったように、互いに合体された）複数の繊維の長い連続した長さのことをいう。本明細書では、繊維及び紡績糸という用語は、相互交換可能な形で使用される。繊維又は紡績糸は、絡み合い組織化された繊維のネットワークを与えるための任意の方法、例えば織り、編み、カットアンドソー、縫込み、ニッティング、フェルティングなどを含む（しかし限定されない）に従い、布を形成するために操作されてよい。編み及び織りにより形成された布の典型的な構造（例えば絡み合い技術）が、それぞれ図１１及び１２に示される。導電性布８（例えば一群の導電性繊維）は、図１１に示されるように、編み構造により作成することができる点に注意されたい。導電性布８（例えば一群の導電性繊維）は、図１２に示されるように、織り構造により作成することもできる。基本布１０は、図１１に示されるように、編み構造により作成することができる点に注意されたい。基本布１０は、図１２に示されるように、織り構造により作成することもできる。部分８および１０は、同一の絡み合い技術を用いて作成することができる。更に、部分８および１０は、異なる絡み合い技術を用いて作成することができる。更に、部分８の個々の異なるループ４４は、異なる絡み合い技術を用いて作成することができる。
【００１９】
異なるタイプの繊維の異なる構造的特性を利用するために、布の異なる部分が１つのレイヤ内に一体的に形成されてよい。例えば導電性繊維は、導電性繊維のネットワークを形成するために操作されることができる。そして非導電性繊維は、非導電性繊維のネットワークを形成するために操作されることができる。繊維のネットワークを布の１つのレイヤ内に一体化することにより、繊維のこれらのネットワークは布の異なる部分を備えることができる。複数のレイヤの布を実現するために、布の異なるレイヤが互いに積層されてもよい。レイヤ１１は２つの部分８、１０を持つことができる点が理解される。ここで、部分８は、介在する基本繊維１２、１４（これは隣接する部分８、１０の交差点／箇所である）のいずれかの側に部分８と部分１０との間に０度より大きく１８０度より小さい角度９ができるように、部分１０から延びていてよい。図３Ｂ（部分８、１０が、基本繊維１２、１４とは異なる方向に延びている）とは対照的に、図２Ｂでは、例えばニットパッチ２を形成する前に、部分８、１０がいずれも同一方向に沿って（例えば、すべて同じ表面／平面の方向に）延びるように、角度９は１８０度であってよい点に注意されたい。
【００２０】
本明細書では、「絡み合い」とは、レイヤ内で、組織的な仕方で互いに上から（及び／又は）下から交差する、典型的には上から及び下から互い違いに交差する繊維（自然又は人工の）を指す点に留意されたい。隣接する繊維同士は、絡み合ったとき、交差点（例えば、１つの繊維が、上から又は下から他の繊維と接触する点）で互いに接触する。一例では、第１の方向に延びる第１の繊維は、第１の方向に延びる第１の繊維に対して横方向又は垂直方向に延びる第２の繊維と絡み合ってよい。別の例では、第２の繊維は、第１の繊維と絡み合ったとき、第１の繊維に対して９０度の角度で横方向に延びてよい。シート内で延びる絡み合った繊維は、繊維のネットワークと呼ぶことができる。再び、後述するように、図１１及び１２は、絡み合った繊維の典型的な実施形態を与える。
【００２１】
図１Ａ及び１Ｂに示されるように、基本布１０（例えば表面）が衣類１の着衣者（ユーザ）の身体に接触する必要なく、導電性ニットパッチ２が着衣者の身体と接触できるように、導電性布８（例えば一群の導電性繊維）は、衣類１の基本布１０（例えば表面）に対して高さ／高度１６を有するループ４４（複数の繊維から構成される）を形成することができる。その様子は図１Ｂに見ることができる。ここで図１Ｂは、パッチ２の個々の要素（隣接するループ４４を形成する導電性布８とそれに対応する高さ／高度１６を含むが、それらに限定されない）を露出させるために曲げられた、３次元の導電性ニットパッチ２のズームイン図である。本例では、導電性ニットパッチ２の導電性布８のループ４４は、基本布１０が着衣者の身体に接触することなく、着衣者の身体と接触することができる。当業者は、導電性ニットパッチ２の作成方法に応じて、導電性ニットパッチ２のループ４４の高さ／高度１６を独立に変えることができることを理解できるだろう。
【００２２】
いくつかの例では、導電性ニットパッチ２と着衣者の身体部分との接触を拡大することができる（例えば、導電性ニットパッチ２を圧迫衣類（図示せず）に含めることによって）ことを理解できるだろう。圧迫衣類は、高さ／高度を有する導電性ニットパッチ２のループ４４を、着衣者の身体に対してプレスする（例えば圧迫する）ことができる。これにより、導電性ニットパッチ２の着衣者の身体に対する接触を更に拡大することができる。
【００２３】
図２Ａは、一例に係る、拡張形態における導電性ニットパッチ２の単一のセグメント（例えば単一のループ４４）を上から見下ろした図である。特に図２Ａは、基本布１０の第１の端部４０から第２の端部４１に向けて延びる、複数の非導電性糸４及び導電性糸６（例えば繊維）を示す。図２Ｂは、図２Ａの例の、拡張形態における導電性ニットパッチ２の単一のセグメント（例えばループ）の断面図である。図６Ａに例示されるように、ループ４４の各々は、頂点４５のいずれかの側に２つのパート４６、４７を持つ。パート４６、４７の各々は、基本布１０（すわなち、第１の部分１０）から延びている。
【００２４】
図２Ａは、導電性ニットパッチ２の上面を示すために与えられる。導電性ニットパッチ２は、円形編機、例えばＳＡＮＴＯＮＩ機（これに限定されない）などを用いて形成されてよい。図２Ｂは、第１の基本紡績糸１２と第２の基本紡績糸１４とを集めることを含む、本明細書に記載の代替的な方法に従い、導電性ニットパッチ２を形成するための第１の構造を与える。
【００２５】
一例では、導電性ニットパッチ２は、レイヤ１１内の第１の基本紡績糸１２（例えば繊維）と第２の基本紡績糸１４（例えば繊維）との間に配置された導電性布８（例えば一群の導電性繊維）を、第２の部分として備える。導電性布８は、互いに絡み合った複数の導電性糸６から形成されてよい。導電性布８は、第１の基本紡績糸１２（例えば繊維）及び第２の基本紡績糸１４（例えば繊維）と絡み合わされてよい。一例では、導電性布８は、導電性布８の第１の端部４８で第１の基本紡績糸１２と絡み合わされ（例えば編まれ）、導電性布８の第２の端部４９で第２の基本紡績糸１４と絡み合わされてよい。別の例では（図２Ｂに示されるように）、第１の基本紡績糸１２、第２の基本紡績糸１４及び導電性布８（例えば一群の繊維）は、すべて円形編機、例えばＳＡＮＴＯＮＩ機（これに限定されない）などを用いて、１つのレイヤ１１内に絡み合わされて（例えば一体的に編まれて）よい。導電性布８（例えば一群の繊維）は、導電性繊維６及び非導電性繊維４を備えてよい点に注意されたい。第１の基本紡績糸１２は第２の基本紡績糸１４であってよく、第２の基本紡績糸１４は第１の基本紡績糸１２であってよい点に注意されたい。
【００２６】
以下、非導電性糸４は、合成繊維、自然繊維、自然製品から抽出された繊維を含んでよいが、これらに限定されない。いくつかの実施形態では、合成繊維は例えば、ナイロン繊維、アクリル繊維、ポリエステル繊維及びポリプロピレン繊維を備えてよい（しかしこれらに限定されない）。更なる実施形態では、自然材料に基づく紡績糸は例えば、綿、羊毛、竹、麻、アルパカ（及び／又は）同様のものから得られてよい。いくつかの実施形態では、自然材料から抽出される（及び／又は）作成される紡績糸は例えば、大豆タンパク質、トウモロコシ等から得られてよい。いくつかの実施形態では、繊維を有する紡績糸は、直線形状でも織られた形状でもよい。このような繊維形態の例は、ナイロン、ポリエステル、ポリプロピレン（及び／又は）同様のものを含んでよいが、これらに限定されない。本明細書に記載される種々の紡績糸は例えば、個別に使用されても、互いに組み合わされて使用されてもよい。更に、紡績糸の組み合わせは例えば、編みプロセスで、又は編みプロセスより前の別個のプロセスで形成されてよい。いくつかの実施形態では、インレイ紡績糸は例えば、ゴム、スパンデックスその他ライクラ（登録商標）等のその他の弾性素材を備える弾性紡績糸を含んでよい（しかしこれらに限定されない）。更なる実施形態では、弾性紡績糸は例えば、ナイロン、ポリエステル、ポリプロピレンといった、直線形状（及び／又は）織られた形状の繊維紡績糸のカバーリングを更に備えてよい。
【００２７】
導電性糸６は、Ｘ−ＳＴＡＴＩＣ（登録商標）糸、金属コートされた糸、その他の電気伝導性を持つ糸を含んでよい。導電性糸６は例えば、ステンレス、銀、アルミニウム、銅などの導電性金属を含む任意の導電性素材から形成されてよい。一実施形態では、導電性糸は絶縁されてよい。別の実施形態では、導電性糸は絶縁されなくてよい。
【００２８】
以下は、単一のセグメント（例えばループ４４）を備える３次元の導電性ニットパッチ２を作成する（例えば編む）ための、ある選択的な方法のステップの例である。３次元の導電性ニットパッチ２はいくつかのセグメント（例えばループ４４）とともに作成されてもよいことを当両者は理解するだろう。更に、別の作成方法は、種々の原位置３次元裁縫（例えば編み）技術を含んでよい（後述するように集めるのではなく）ことを当業者は理解するだろう。本明細書に示される実施形態の例では、基本布表面１０は、それぞれＡ、Ｂ、Ｃ及びＤでそれぞれラベル付けされた非導電性糸４を有する。非導電性糸Ｂは第１の基本紡績糸１２として示され、非導電性糸Ｃは第２の基本紡績糸１４として示されるが、基本紡績糸１２、１４のいずれか又は両方は導電性糸であってもよい。
【００２９】
図３Ａ及び３Ｂに示される一実施形態では、基本布１０は、レイヤ１１の第１の側面４２からレイヤ１１の第２の側面４３まで延び、レイヤ１１の第１の端部４０からレイヤ１１の第２の端部４１まで延びる（図１０も参照）。図３Ａは、一例に係る、ループ形態における３次元の導電性ニットパッチの単一のセグメント（例えばループ）を上から見下ろした図である。図３Ｂは、図３Ａの例の、ループ形態における導電性ニットパッチの単一のセグメントの断面図である。
【００３０】
一例では、導電性糸６は、レイヤ１１内で、第１の基本紡績糸１２に隣接して（例えば導電性布８の第１の端部４８に隣接して）配置されてよく、第２の基本紡績糸１４に隣接して（例えば導電性布８の第２の端部４９に隣接して）配置されてよい。例えば、複数の導電性糸６はその後、隣接する導電性糸６（これは導電性布８を形成するために第１の基本紡績糸１２に隣接する）に絡み合わされて（例えば編まれて）よい。一旦導電性布８の所望の長さ（例えば、一群の導電性繊維における書物導電性繊維の数）に達すると、導電性布８の第２の端部４９に配置された導電性糸６は、第２の基本紡績糸１４に結合されて（例えば編み込まれて）よい。
【００３１】
一実施形態では、導電性繊維８の群の内部でループ４４を形成するために、第１の基本繊維１２と第２の基本繊維１４とは互いに隣接するように集められてよい。本明細書では、「隣接する」は一般に、接している（例えば互いに接触している）２つの要素を指すが、接している２つの要素限定されない点に注意されたい。例えば、第１の基本繊維１２と第２の基本繊維１４とを互いに隣接するように集める、とは、第１の基本繊維１２と第２の基本繊維１４とが互いに接触していることを意味してよい。しかしながらまた、第１の基本繊維１２と第２の基本繊維１４とを互いに隣接するように集める、とは、中間物体、例えば一片の布その他の物体等（しかしこれらに限定されない）を介して、第１の基本繊維１２と第２の基本繊維１４とを互いに接触させることを意味してもよい。中間物体とは例えば、第１の基本繊維１２と第２の基本繊維１４の両方に接している（例えば接触又は隣接している）物体のことをいう。別の実施形態では、２つの物体が「隣接している」とは、２つの物体が互いに絡み合っていることを指してもよい。
【００３２】
導電性ニットパッチ２の形成方法に関わらず、ループ４４は、ループ４４が基本布表面１０に隣接するように、基本布表面１０から延びていてよい。一実施形態では、ループ４４は、基本布表面１０から、基本布表面１０を横断する方向に延びる。
【００３３】
ループ４４は、１つ以上の繊維の頂点４５を、基本布表面１０の遠位側に（例えば空間的に離れたところに）有する。頂点４５は、一群の導電性繊維８の単一の繊維（例えば図４Ｂを参照）、一群の導電性繊維８の単一の繊維の一部、あるいは一群の導電性繊維８の複数の繊維（例えば図４Ｂを参照）であってよいが、これらに限定されない。
【００３４】
ループ４４は、ループ４４の第１のパート４６と、ループ４４の第２のパート４７と、を有する。一実施形態では、ループ４４の第１のパート４６は、基本布表面１０の第１の導電性繊維１２から、頂点４５に向けて、高度／高さ１６に相当する長さだけ延びている。一方、ループ４４の第２のパート４７は、第１のパート４６に対向し、基本布表面１０の第２の導電性繊維１４から、頂点４５に向けて、高度／高さ１６に相当する長さだけ延びている。別の実施形態では、ループ４４の第１のパート４６は、導電性布８の第１の端部４８から、頂点４５に向けて、高度／高さ１６に相当する長さだけ延びている。一方、ループ４４の第２のパート４７は、第１のパート４６に対向し、導電性布８の第２の端部４９から、頂点４５に向けて、高度／高さ１６に相当する長さだけ延びている。
【００３５】
一実施形態では、ループ４４の第１のパート４６は、頂点４５で、ループ４４の第２のパート４７と接続される。別の実施形態では、ループ４４の第１のパート４６は、基本布表面１０で又はその近傍で、ループ４４の第２のパート４７と接続される。別の実施形態では、ループ４４の第１のパート４６は、頂点４５と基本布表面１０との間で、ループ４４の第２のパート４７と接続される。別の実施形態では、ループ４４の第１のパート４６は、頂点４５及び基本布表面１０で、ループ４４の第２のパート４７と接続される。別の実施形態では、ループ４４の第１のパート４６及びループ４４の第２のパート４７は、互いに分離され（例えば接続されない）、レイヤ１１の第１の側面４２からレイヤ１１の第２の側面４３に延びる溝を形成する。
【００３６】
本明細書に記載の導電性ニットパッチ２を形成する選択的な方法では、第１の基本紡績糸１２と第１の基本紡績糸１４を一体化する（例えば集める）ことにより、導電性布８（例えば一群の導電性繊維）は折り曲げられる又はループされる。これにより、基本布１０に対して高さ／高度１６が形成される。これはループ４４を形成するための１つの選択的な方法であることと、ループ４４を生成するためには種々の原位置３次元裁縫（例えば編み）技術を利用してもよいことに注意されたい。導電性ニットパッチ２は、基本布表面１０から、例えばユーザの身体に向けて、ループ４４の高さ／高度１６に相当する長さだけ延びる。図３Ｂに示される例では、ループ４４の高さ／高度１６は、第１の基本繊維１２と第２の基本繊維１４とを集める前における、導電性繊維８（例えば一群の導電性繊維）の長さの概ね半分（１／２）である。
【００３７】
一実施形態では、いくつかのセグメント（例えばループ４４）を備える導電性ニットパッチ２を形成するために、レイヤ１１内で基本布表面１０と一体化するように導電性繊維８を絡み合わせる（例えば編む）ことを反復してよい。例えば、より大きな導電性ニットパッチ２（図６Ａに示される。また後述もされる）を編む目的で、自身の導電性布８（例えば一群の導電性繊維）を有する第２のセグメント（例えばループ）が、非導電性糸Ｄに編み込まれてもよい。
【００３８】
ある選択的な例では、一旦単一のセグメント（例えばループ４４）が形成されると（例えば、第１の基本紡績糸１２と第２の基本紡績糸１４とを互いに隣接するように集めることにより）、第１の基本紡績糸１２と第２の基本紡績糸１４とは、レイヤ１１内で一体化するように接続されてよい。別の例では、ループ４４を形成する前に、第１の基本紡績糸１２と第２の基本紡績糸１４とが互いに隣接してもよい。
【００３９】
一実施形態では、第１の基本紡績糸１２と第２の基本紡績糸１４とは互いに、縫い合わされ、編まれ又は織られてよく、その他の既知の任意の方法で接続されてもよい。別の実施形態では、第１の基本紡績糸１２と第２の基本紡績糸１４とは、任意の機械的手段、例えば接着（例えば接着剤）、フックアンドループタイプのファスナーあるいは化学変化など（しかしこれらに限定されない）を用いて、接続又は固定されてもよい。
【００４０】
別の実施形態では、第１の基本紡績糸１２と第２の基本紡績糸１４とは、接続線（図示せず）に沿って接続されてよい。本実施形態では、接続線は、レイヤ１１の第１の側面４２から第２の側面４３に延びてよく、あるいは、第２の側面４３から第１の側面４２に延びてもよい。接続線は、直線状でも弧状でもよく、任意の度合いの曲率（及び／又は）任意の数の折れ曲がりを有していてもよい。更に、接続線（図示せず）は、第１の基本紡績糸１２と第２の基本紡績糸１４との間にあって、複数の繊維（例えば繊維の領域）を備える接続領域であってもよい。本実施形態では、基本布表面１０（第１の部分として）又は一群の導電性繊維８（第２の部分として）のいずれかの内部にある１つ以上の繊維が（例えば前述の任意の手段を用いて）接続されてよく、更にここに第１の基本紡績糸１２と第２の基本紡績糸１４とが接続されてよい。
【００４１】
導電性ニットパッチ２が好適な長さになるまで複数の導電性布８がレイヤ１１内に一体化されると、導電性ニットパッチ２は、複数のループ４４を形成するように操作される（前述の通り）。例えば、レイヤ１１は、複数の第１の基本繊維１２と第２の基本繊維１４とを備えてよい。ここで、基本繊維の対を形成するために、第１の基本繊維１２の各々は、対応する第２の基本繊維１４を有する。基本繊維の対に関して、集めるステップ（前述した）を反復することにより、それぞれのパート４６、４７が互いに空間的に分離するように、複数の隣接する別個のループ４４を備える導電性パッチ２を形成することができる。例えば、ループ４４のパート４６、４７の各々は、基本繊維１２、１４とパート４６、４７の各々の頂点４５との間に一旦構成されると、隣接するループの隣接するパート４６，４７とは未接続状態を保つ。
【００４２】
更に、複数のループ４４を備える導電性パッチ２は、レイヤ１１内に一体化することで、単一の導電性布８（例えば一群の導電性繊維）から形成することができる。３次元の導電性パッチ２を形成するための１つの選択的な方法では、第１の基本繊維１２と第２の基本繊維１４とが前述の仕方で集められるが、第１の基本繊維１２と第２の基本繊維１４のうちの少なくとも１つは、導電性布８内に存在する導電性繊維である。更に、第２の基本繊維１４は隣接するループに対して第１の基本繊維１２として機能することができ、第１の基本繊維１２は隣接するループに対して第２の基本繊維１４として機能することができる点に注意されたい。複数のループを備える３次元の導電性ニットパッチを形成するための別の方法は、種々の原位置３次元裁縫（例えば編み）技術（集めるのではなく）を含んでよい点にも注意されたい。
【００４３】
図３Ｃは、ＳＡＮＴＯＮＩ型円形編機で使われる図３Ａ―図３Ｂの導電性ニットパッチ２の例のニットパターン図を概略的に示す。本例に係るニットパターンは、第１の基本紡績糸１２と結合し（例えば導電性布８の第１の端部４８で）、第２の基本紡績糸１４と結合した（例えば導電性布８の第１の端部４８で）導電性布８（例えば一群の導電性繊維）（グレーのピクセルで示される）を示す。図３Ｃでは、非導電性糸４が黒のピクセルで示され、白のピクセルはニットでないもの又はドロップステッチを示すことに注意されたい。
【００４４】
別の例では、図４Ａ及び図４Ｂに示されるように導電性布８（例えば一群の導電性繊維）は、１つ以上の非導電性糸４を含む。図４Ａは、第２の例に係る、拡張形態における導電性ニットパッチの単一のセグメントの断面図である。図４Ｂは、図４Ａの例の、ループ形態における導電性ニットパッチの単一のセグメントの断面図である。
【００４５】
本例では、非導電性糸４は、ループ４４を形成する１つ以上の導電性糸６と絡み合って（編まれて）いてよい。これらの非導電性糸４は、導電性布８（例えば一群の導電性繊維）の特性を変えるために使うことができる。例えば、パート４６、４７の側面（例えば、基本繊維１２，１４と頂点４５との間）に接続された非導電性糸４は、導電性布８（例えば一群の導電性繊維）を形成する導電性糸６のための追加的なサポート（すなわち、高さ／高度１６が減少する／圧縮することを防ぐための（及び／又は）高さ／高度を有するパート４６、４７を保つための、サポート）として使うことができる。これにより、より長い導電性布８（例えば一群の導電性繊維）を得ることができる。一旦第１の基本布１２及び第２の基本布１４が一体化される（集められる）と、その後に、このより長い導電性布８（例えば一群の導電性繊維）を、より高い（より高度の大きい）ループ４４の高さ１６を形成するために利用することができる。パート４６、４７の側面（例えば、基本繊維１２、１４と頂点４５との間）に接続された複数の非導電性糸４は、互いに接続可能である（すなわち、ループ４４の１つの糸４は、隣接するループ４４の別の糸４と接続可能である）ことに注意されたい。
【００４６】
非導電性糸４は、導電性ニットパッチ２の他の特性を変えるためにも使うことができる。これらの特性は、導電性ニットパッチ２の弾性、伸縮性、剛性（及び／又は）密度を含むが、これらに限定されない。
【００４７】
図４Ｃは、ＳＡＮＴＯＮＩ型円形編機で使われる図４に類似した導電性ニットパッチ２の例のニットパターン図を概略的に示す。非導電性糸４が黒のピクセルで示され、導電性糸４が青／グレーのピクセルで示されることに注意されたい。
【００４８】
図５Ａ及び図５Ｂは、導電性布８（例えば一群の導電性繊維）（図４Ａ―図４Ｃに類似する）内に１つ以上の非導電性糸４を有する接触パッチ２の他の例を示す。本例では、追加的な非導電性糸４により、より長い導電性布８（例えば一群の導電性繊維）を得ることができる。これにより、より高い高さ／高度１６を得ることができる。
【００４９】
導電性ニットパッチ２の使用形態に応じた多様なサイズの導電性ニットパッチ２（例えば、様々な高さ／高度１６を有する複数のループ４４）を作成する目的で、前述の３次元の導電性ニットパッチ２の選択的な形成方法が反復的に実行されてもよい点に注意されたい。一例として、図６Ａに、複数のループ４４を備える導電性ニットパッチ２が示される。図６Ａに示される例では、導電性ニットパッチ２は一様な高さ／高度１６を有する。図６Ａに示される例では、導電性糸６は、複数のループ４４の各々の中の導電性布８（例えば一群の導電性繊維）が電気的に接続されるように編まれる点に注意されたい。本例では、導電性糸６はまた、非導電性糸Ｄ（導電性布８の第１の端部４８に隣接する）及びＡ（導電性布８の第２の端部４９に隣接する）に絡み合わされる（編まれる）。これにより、導電性布８（例えば一群の導電性繊維）のそれぞれのセグメントのループ４４は、電気的に接続される。図６Ａに示される例では、導電性糸６がレイヤ１１内で基本布表面１０に隣接するように、導電性糸６が、導電性布８の第１の端部４８及び導電性布８の第２の端部４９に隣接する非導電性糸４に絡み合わされている（編まれている）様子が示される。導電性糸６を基本布表面１０に隣接するように位置づけることにより、導電性ニットパッチ２の各セグメント（例えばループ４４）は電気的に導通する（例えば電気的に接続される）。
【００５０】
図６Ａに示される例では、ループ領域３８は導電性糸６のみを含み、いかなる非導電性糸４も含まない。本例の構成は、導電性糸４のみが身体と接触すべきアプリケーションに有利だろう。しかしながら当業者は、アプリケーションに応じて、導電性糸４と非導電性糸６とが入れ替わってもよいことを理解できるだろう。
【００５１】
図６Ｂは、ＳＡＮＴＯＮＩ型円形編機で使われる図６Ａの導電性ニットパッチ２の例のニットパターン図を概略的に示す。本例のニットパターンは、導電性布８（例えば一群の導電性繊維）（グレーのピクセルで示される）が第１の基本紡績糸１２及び第２の基本紡績糸１４に接続されていることを示す。非導電性糸４は黒のピクセルで示されていることに注意されたい。本例では、第２の基本紡績糸１４が、次のセグメントの第１の基本紡績糸１２として機能し得る点に注意されたい。他の実施形態では、１つ以上の非導電性糸４を用いてセグメントが分割されてもよい。
【００５２】
図６Ｃは、基本布上のニットとしての複数のセグメントを持つ導電性ニットパッチ全体に関するＳＡＮＴＯＮＩパターンを概略的に示す。ニットパターン図は、導電性ニットパッチ２の開始端部及び終端部、並びに導電性ニットパッチ２の開始端部と終端部複数と間の複数のセグメントを示す。
【００５３】
図６Ｃは、基本布上のニットとしての複数のセグメントを持つ２つの導電性ニットパッチ全体に関するＳＡＮＴＯＮＩパターンを概略的に示す。本例では、２つの導電性ニットパッチ２が、基本布１０の上で横に並んで織られる。
【００５４】
別の例では、導電性ニットパッチ２は、異なる高さ／高度１６を備えた領域を有してよい。この例が図７Ａに示される。図７Ａは、一例に係る、複数のセグメント（例えばループ４４）を持つ導電性ニットパッチ２であって、縁部のセグメント３４（例えばループ）の方が中央部のセグメント３６（例えばループ）より高さ／高度１６が低いものの断面図である。
【００５５】
図６Ａの場合と異なり本例では、導電性ニットパッチ２の高さ／高度１６は、縁部のセグメント３４のものより、中央部のセグメント３６のものの方が高い。本例では、縁部１０のセグメント３４は、導電性ニットパッチの縁部を表す。この場合、縁部のセグメント３４と中央部のセグメント３６との高さの相違は、導電性ニットパッチ２の側方／横方向に広がる斜め形状の縁部を形成する。これは、多数の別個の接触パッチ２が互いに密接に隣接して使われる場合のアプリケーションで有用となり得る。単一の導電性ニットパッチ２の側方／横方向の広がりを減少させることにより、導電性ニットパッチ２の隣接するループ４４同士が互いに接触する可能性が減少する。導電性ニットパッチ２が電気回路内で使われているときに２つの隣接する導電性ニットパッチ２同士が接触すると、意図しない電気的ショートが発生することは明らかだろう。
【００５６】
更に、図６Ａに示される例と同様、図７Ａにおける導電性糸６は、複数のループ４４の各々の中の導電性布８（例えば一群の導電性繊維）が電気的に接続されるように編まれる。本例では、導電性糸６はまた、導電性布８（例えば一群の導電性繊維）の各々のループが接続されるように、非導電性布Ｄ及びＡに編み込まれる。これにより、導電性ニットパッチ２の各セグメントは、電気的に導通する。
【００５７】
図７Ｂは、複数のセグメントを持ち、縁部のセグメント３４の方が中央部のセグメント３６より高さ／高度が低い導電性ニットパッチの例に関するＳＡＮＴＯＮＩパターンを示す図である。本例では、中央部のセグメント３６の長さの方が縁部のセグメント３４の長さより長いことは明らかである。これにより、一旦ループができると、縁部のセグメント３４より高さ／高度が高い中央部のセグメント３６が得られるだろう。本例では、第２の基本紡績糸１４が、次のセグメントの第１の基本紡績糸１２として機能し得る点に注意されたい。他の実施形態では、１つ以上の非導電性糸４を用いてセグメントが分割されてもよい。
【００５８】
前述の実施形態に加えて、導電性ニットパッチ２は、衣類１の他の領域（例えば第２の領域３２）と異なる布特性を持つ衣類１の領域（例えば第１の領域３０）内に絡み合って（編まれて）いてもよい。これにより、下方にある身体に対する導電性ニットパッチ２の運動が変化する（及び／又は）制限される（例えば禁止される）。下方にある着衣者の身体に対する導電性ニットパッチ２の運動を制限することにより、衣類１の着用中、下方にあるユーザ／着衣者の身体に対する導電性ニットパッチ２の接触の維持を強化することができる。
【００５９】
例えば図８は、衣類１の他の部分と異なる布特性を有する第１の領域３０に一体的に編み込まれた、る導電性ニットパッチ２の例を上から見下ろした図である。本例では、導電性ニットパッチ２は衣類１の第１の領域３０に一体的に編み込まれる。衣類１の第１の部分は、周囲の第２の部分と異なる布特性を有する。これらの布特性は、柔軟性、弾性、伸縮性、密度、絶縁性及び圧縮性を含んでよいが、これらに限定されない。異なる布特性を持つ領域を編む方法は既知であり、布の他の部分より目の詰まったニット布の作成、プラスティック又はワイヤサポート、アイロン密着、エポキシ、レジンその他の布接着方法（及び／又は）布化学処理などを含んでよいが、これらに限定されない。
【００６０】
一例では、衣類１にあっては、レイヤ１１は、第１の領域３０と、第１の領域に隣接する第２の領域３２と、を含んでよい。第１の領域３０は、１つ以上のセンサ（例えば導電性パッチ２）を含む。第１の領域３０は、内部の複数の繊維の特性を反映して、第２の領域３２より弾性が低い（例えば、伸縮性又は柔軟性がより低い）。第２の領域３２は、レイヤ１１の内部の他の導電性領域（図示せず）から１つ以上のセンサ２を電気的に絶縁するための非導電性繊維を含む。第２の領域３２の内部の複数の繊維特性を反映した弾性の度合いは、第２の領域３２全体にわたって異なってよい点に注意されたい。例えば、内部の複数の繊維の特性を反映して、第１の領域の近傍の第２の領域の第１のセクション３３の弾性（例えば、伸縮性又は柔軟性）は、第１の領域３０に遠方の（例えば空間的に離れたところにある）第２の領域３２の第２のセクション３５の弾性より低くてよい。この点で、第２の領域の複数のセクション全体にわたる弾性の勾配を形成するために、第２の領域３２は複数のセクションを有してよい。これらのセクションの各々は、内部の複数の繊維の特性を反映して、近傍領域における弾性より低い弾性（例えば、より低い伸縮性又は柔軟性）を有する。
【００６１】
更に衣類１は、複数の繊維を第１の領域３０に更に備えてよい。これにより、第２の領域３２の内部の複数の繊維より厚さの厚いレイヤ１１が与えられる。
【００６２】
更に衣類１は、第２の領域の複数の繊維のニットタイプと異なる複数の繊維のニットタイプを第１の領域３０に更に備えてよい。このニットタイプの相違は、内部の複数の繊維の特性を反映した第１の領域３０の弾性の度合いが、内部の複数の繊維の特性を反映した第２の領域３２の弾性より低いことの要因となる。領域３２内の複数のセクションの各々は、隣接する領域３２のニットタイプと異なるニットタイプを備えてよい点にも注意されたい。このニットタイプの相違は、第２の領域の複数のセクション３３の各々のセクションの内部の複数の繊維の特性を反映した弾性の度合いが、例えば、第２の領域３２内の隣接するセクションを反映した弾性より低いことの要因となる。衣類１にあっては、第１の領域３０内の複数の繊維は、複数の導電性繊維と非導電性繊維の両方を含んでよい。これはセンサ２が導電性繊維と非導電性繊維の両方を含むことを意味する。
【００６３】
更に衣類１にあっては、第１の領域３０内の複数の繊維は、第２の領域３２内の複数の繊維より、糸（例えばニット）の密度（例えば１インチあたりの糸の数）が高い。これは、第１の領域におけるセンサ２の繊維が、より高い糸の密度に含まれることを反映する。また衣類１にあっては、第１の領域３０内の複数の繊維自身は、第２の領域３２内の複数の繊維より弾性度が低くてよい。
【００６４】
図９Ａ−図９Ｄは、一例に係る導電性ニットパッチ２を有する衣類の断面図である。これらの例の衣類では、導電性ニットパッチ２はデータを伝達するためのデータバス１８に接続されている。データバス１８は、電気システムで使われる任意の種類のデバイス（例えばプロセッサ、電力供給源、アクチュエータ、センサおよびＬＥＤを含むがこれらに限定されない）に接続されてよい。いくつかの例では、データバス１８は内部レイヤ２０に組み込まれている。別の実施形態の例では、データバス１８は布２６の内側にあってよい。いくつかの別の実施形態では、データバス１８は露出していてもよい。図９Ａ−図９Ｄで与えられる例では、導電性ニットパッチ２及びデータバス１８は、ヘッドバンド、リストバンド、レッグバンドなどのバンド型衣類の一部である。本例では一旦バンド型衣類が着用されると、導電性ニットパッチ２は、導電性ニットパッチ２のすべての高さ／高度１６で身体に接触できる。いくつかの別の例では、身体との接触を保つために、導電性ニットパッチ２の高さ／高度１６と衣類の圧迫特性とが使われる。別の実施形態では、導電性ニットパッチ２は、電気信号を送信（及び／又は）受信するために（及び／又は）身体からのデータを検知するために使われる。送信される信号は、電気筋肉刺激や経皮電気神経刺激信号などを含むが、これらに限定されない。身体から検知されるデータは、湿度、電気伝導度、心拍数などを含むが、これらに限定されない。
【００６５】
前述の実施形態では、衣類の異なるセクションをレイヤ１１内に一体化されるために、編み込みを利用することができる。編み込みは、紡績糸の繊維複数のループ（ステッチと呼ばれる）を、線または管に沿って形成することを含む。このようにして、前述のループが、編み込まれた布の内部の繊維又は紡績糸が曲がりくねった経路（例えばコース）に沿って、紡績糸の曲がりくねった経路の上下に形成される。これらの曲がりくねったループは、異なる方向に容易に拡張することができる。繊維又は紡績糸の連結ループを用いて、ループの連続した列を取り付けることができる。列の各々が進行すると、新たに作成された繊維又は紡績糸のループは、繊維又は紡績糸の１つ以上のループを通してレイヤ１１の前の列から引かれる。
【００６６】
衣類の異なるセクションをレイヤ１１内に一体化されるために、縫い付けを利用することもできる点に注意されたい。縫い付けは、衣類１を作成する１つの方法であり、衣類１のレイヤ１１を形成するために、２つの独立した紡績糸又は繊維の組が特定の角度（例えば直行した）で絡み合わされる。
【００６７】
図１１は、例えば電気的部品（例えばセンサ２）のセグメント内の、導電性繊維のネットワーク３５０５の典型的な編み構成を示す。本実施形態では、電気信号（例えば電流）が、制御器３５０８により制御されて、電力供給源（図示せず）から、第１のコネクタ３５０３を通して、導電性繊維３５０２へ送信される。電気信号は、導電性繊維３５０２に沿った電気経路に沿って、接続点３５１０で非導電性繊維３５０１の近くを通って送信される。非導電性繊維３５０１は電気を通すことができないため、電気信号は接続点３５１０で非導電性繊維３５０１内には伝播しない。接続点３５１０は、隣接する非導電性繊維と導電性繊維とが互いに接触する（例えば触る）点ではない。図１１に示される実施形態では、非導電性繊維３５０１及び導電性繊維３５０２は、編まれることにより絡み合わされることが示されている。編みは、隣接する導電性繊維と非導電性繊維とを絡み合わせる、典型的な一実施形態に過ぎない。
【００６８】
非導電性ネットワーク３５０６を形成する非導電性繊維もまた、絡み合わされて（例えば編まれて）よいことに注意されたい。非導電性ネットワーク３５０６は、非導電性繊維（例えば３５０１）と、導電性繊維（例えば３５１４）と、備えてよい。この場合、導電性繊維３５１４は、電気信号（例えば３５０２）を伝える導電性繊維に電気的に接続される。
【００６９】
図１１に示される実施形態では、電気信号は、接続点３５１１に到達するまで、接続点３５１０から導電性繊維３５０２に沿って送信され続ける。このとき、導電性繊維３５０９は電気を通すことができるため、電気信号は、導電性繊維３５０２から導電性繊維３５０９内に横方向に（例えば直交方向に）伝播する。接続点３５１１は、隣接する導電性繊維（例えば３５０２と３５０９）同士が互いに接触する（例えば触る）点である。図１１に示される実施形態では、導電性繊維３５０２及び導電性繊維３５０９は、編まれることにより絡み合わされることが示されている。再び、編みは、隣接する導電性繊維同士を絡み合わせる、典型的な一実施形態に過ぎない。
【００７０】
電気信号は、接続点３５１１から、電気経路に沿って、コネクタ３５０４へ送信され続ける。電気信号を電気的部品（例えばセンサ２）からコネクタ３５０４へ送信するために、少なくとも１つの繊維のネットワーク３５０５が、コネクタ３５０４に取付けられる。電気回路を完成するために、コネクタ３５０４は、電力供給源（図示せず）に接続される。
【００７１】
図１２は、導電性繊維のネットワーク３５５５の典型的な縫い構成を示す。本実施例では、電気信号（例えば電流）が、制御器３５５８により制御されて、電力供給源（図示せず）から、第１のコネクタ３５５３を通して、導電性繊維３５５２へ送信される。電気信号は、電気的部品（例えばセンサ２）から、導電性繊維３５５２に沿って、接続点３５６０で非導電性繊維３５５１の近くを通って送信される。非導電性繊維３５５１は電気を通すことができないため、電気信号は接続点３５６０で非導電性繊維３５５１内には伝播しない。接続点３５６０は、隣接する非導電性繊維と導電性繊維とが互いに接触する（例えば触る）点ではない。図１２に示される実施形態では、非導電性繊維３５５１及び導電性繊維３５５２は、縫われることにより絡み合わされることが示されている。縫いは、隣接する導電性繊維と非導電性繊維とを絡み合わせる、典型的な一実施形態に過ぎない。
【００７２】
非導電性ネットワーク３５５６を形成する非導電性繊維もまた、絡み合わされて（例えば縫われて）よいことに注意されたい。非導電性ネットワーク３５５６は、非導電性繊維（例えば３５５１と３５６４）を備えてよく、電気信号を伝える導電性繊維に電気的に接続されない導電性繊維を備えてもよい。
【００７３】
電気信号は、接続点３５６１に到達するまで、接続点３５６０から導電性繊維３５５２に沿って送信され続ける。このとき、導電性繊維３５５９は電気を通すことができるため、電気信号は、導電性繊維３５５２から導電性繊維３５５９内に横方向に（例えば直交方向に）伝播する。接続点３５６１は、隣接する導電性繊維（例えば３５５２と３５５９）同士が互いに接触する（例えば触る）点である。図１２に示される実施形態では、導電性繊維３５５２及び導電性繊維３５５９は、縫われることにより絡み合わされることが示されている。再び、縫いは、隣接する導電性繊維同士を絡み合わせる、典型的な一実施形態に過ぎない。
【００７４】
電気信号は、接続点３５６１から、電気経路に沿って、複数の接続点３５６１を通って、コネクタ３５５４へ送信され続ける。電気信号を電気的要素１８（例えばネットワーク３５５５）からコネクタ３５５４へ送信するために、少なくとも１つの繊維のネットワーク３５５５が、コネクタ３５４４に取付けられる。電気回路を完成するために、コネクタ３５５４は、電力供給源（図示せず）に接続されてよい。
【００７５】
前述の議論に関し、一実施形態は導電性ニットパッチ２を製造する方法である。
本方法は、複数の繊維を絡み合わせることによりレイヤ１１を形成するステップを備え、
前記複数の繊維は、導電性繊維６と、非導電性繊維４と、を備え、
前記レイヤ１１は、第１の部分としての基本布表面１０と、第２の部分としての導電性繊維の群８と、前記レイヤ１１の第１の基本繊維１２と、前記レイヤ１１の第２の基本繊維１４と、を有し、
前記第１の部分１０は、前記レイヤ１１の第１の側面４２から、前記レイヤ１１の第２の側面４３に延びており、前記第１の部分１０は、前記レイヤ１１の第１の端部４０から、前記レイヤ１１の第２の端部４１に延びており、
前記第１の基本繊維１２は、前記第２の部分８の第１の端部４８に配置され、
前記第２の基本繊維１４は、前記第２の部分８の第２の端部４９に配置され、
前記第２の部分８は、前記レイヤ１１の内部で、前記第１の基本繊維１２と前記第２の基本繊維１４との間に配置され、前記第２の部分８は、前記第１の部分１０に隣接し、
前記第２の部分８は、前記第２の部分８の第１の端部４８で、前記第１の基本繊維１２と絡み合わされ、前記第２の部分８は、前記第２の部分８の第２の端部４９で、前記第２の基本繊維１４と絡み合わされ、
前記方法は、前記第１の基本繊維１２と前記第２の基本繊維１４とを集めるステップを更に備え、
前記第１の基本繊維１２と前記第２の基本繊維１４とを集めるステップにより、前記第１の基本繊維１２と前記第２の基本繊維１４とは互いに隣接して、前記第２の部分８を含む前記レイヤ１１内にループ４４が生成され、
前記ループ４４は、前記第１の部分１０から延びており、前記ループ４４は、１つ以上の繊維の頂点４５と、前記ループ４４の第１のパート４６と、前記ループ４４の第２のパート４７と、を有し、
前記頂点４５は、前記第１の部分１０から空間的に離れており、
前記ループ４４の前記第１のパート４６は、前記第１の基本繊維１２から、前記頂点４５に向けて延びており、
前記ループ４４の前記第２のパート４７は、前記ループ４４の前記第１のパート４６に対向し、前記ループ４４の前記第２のパート４７は、前記第２の基本繊維１４から、前記頂点４５に向けて延びており、
前記方法は、前記第１の基本繊維１２と前記第２の基本繊維１４とを接続するステップを更に備え、
前記接続するステップの実行中に、前記第２の部分８は、前記第１の部分１０と一体化する。
【００７６】
前述の方法に関し、別の実施形態では、前記ループ４４の前記第１のパート４６及び前記ループ４４の前記第２のパート４７の少なくとも１つは、前記ループ４４の延びを容易に維持するための非導電性繊維６を備える。ある実施形態では、前記ループ４４の前記第１のパート４６及び前記ループ４４の前記第２のパート４７の各々は、前記ループ４４の延びを容易に維持するための非導電性繊維６を備える。更なる実施形態では、前記非導電性繊維６は、前記ループの前記第１のパート４６及び前記第２のパート４７の少なくとも１つに編み込まれて又は縫い込まれてよい。
【００７７】
前述の方法に関し、別の実施形態では、
第１の基本繊維１２は第１の非導電性繊維６に結合されており、
第２の基本繊維１４は第２の非導電性繊維６に結合されてよく、
第１及び第２の非導電性繊維６の各々は、基本布表面１０と一体化されている。
別の実施形態では、第１及び第２の非導電性繊維６は、レイヤ１１の内部で互いに空間的に離れている。ここで、第１の基本繊維１２、導電性繊維８の群８及び第２の基本繊維１４は、第１の基本繊維と第２の非導電性繊維６との間にある。
【００７８】
前述の方法に関し、別の実施形態では、
前記第１の非導電性繊維６及び前記第２の非導電性繊維６の少なくとも１つは、隣接する導電性繊維４に結合されてよく、
前記ループ４４を隣接するループ（例えばループ３４）に電気的に接続するために、前記隣接する導電性繊維４は、前記ループ４４の前記第１のパート４６及び前記ループ４４の前記第２のパート４７の少なくとも１つに隣接する前記第１の部分１０から延びている。
本明細書における「電気的に接続される」という用語は、２つの要素のうち第１のものから第２のものに電気信号が伝達されるように、互いに配置された２つの要素を指すことに注意されたい。
本実施形態では、
前記ループ４４を隣接するループ（例えばループ３４）に電気的に接続するために、隣接する導電性繊維４は、前記第１の部分１０から延びて、前記ループ４４の前記第１のパート４６又は前記ループ４４の前記第２のパート４７のいずれかの導電性繊維の少なくとも１つと隣接するように配置される。
一実施形態では、前記ループ４４を隣接するループ３４に電気的に接続するために、複数の隣接する導電性繊維４が、前記第１の部分１０から延びて、互いに隣接するように配置されてよい（例えば図７Ａ参照）。
【００７９】
前述の方法に関し、別の実施形態では、
前記第１の基本繊維１２は、前記ループ４４の前記第１のパート４６に配置され、
前記第２の基本繊維１４は、前記ループ４４の前記第２のパート４７に配置される。
本実施形態では、
前記第１の基本繊維及び前記第２の基本繊維は、
前記ループ４４の前記パート４６、４７の１つの内部にある導電性繊維であってもよく、あるいは、前記ループ４４のパート４６、４７の１つの内部にある非導電性繊維であってもよい。
第１の基本繊維１２はまた、隣接するループ（例えばループ３４）に対する第２の基本繊維１４であってもよく、
第２の基本繊維１４はまた、隣接するループ（例えばループ３４）に対する第１の基本繊維１２であってもよいことに注意されたい。
【００８０】
前述の方法に関し、別の実施形態では、
前記第１の基本繊維１２及び前記第２の基本繊維１４は、
前記集めるステップを実行中、前記第１の基本繊維１２及び前記第２の基本繊維１４が互いに隣接するように、前記レイヤ１１の前記第１の部分１０に配置されてよい。
【００８１】
前述の方法に関し、別の実施形態では、
前記レイヤ１１は、第２のループ（例えばループ３４）を備えてよく、
前記第２のループは、前記基本布表面１０から延びており、前記第２のループは、前記第１の部分１０から空間的に離れた１つ以上の繊維の第２の頂点４５を有し、
前記第２のループ３４は、前記第１のループ４４と前記第２の基本繊維１４との間に配置される。
【００８２】
前述の方法に関し、別の実施形態では、前記ループ４４と前記第２のループ３４との間に電気的絶縁を与えるために、前記第１のパート４６及び前記第２のパート４７の少なくとも１つは、非導電性繊維６を備える。
【００８３】
前述の議論に関し、一実施形態では導電性ニットパッチ２が与えられる。
本導電性ニットパッチ２は、レイヤ１１を備え、
前記レイヤ１１は、複数の絡み合った繊維を有し、
前記複数の絡み合った繊維は、導電性繊維４と、非導電性繊維６と、を含み、
前記レイヤ１１は、第１の部分としての基本布表面１０と、第２の部分としての導電性繊維の群８と、前記レイヤ１１の第１の基本繊維１２と、前記レイヤ１１の第２の基本繊維と、を有し、
前記第１の部分１０は、前記レイヤ１１の第１の側面４２から、前記レイヤ１１の第２の側面４３に延びており、前記第１の部分１０は、レイヤ１１の第１の端部４０から、レイヤ１１の第２の端部４１に延びており、
前記第１の基本繊維１２は、前記第２の部分８の第１の端部４８に配置され、
前記第２の基本繊維１４は、前記第２の部分８の第２の端部４９に配置され、
前記第２の部分８は、前記第１の部分１０に対して、前記第１の基本繊維１２及び前記第２の基本繊維１４を経由して配置され、前記第２の部分８は、前記第２の部分８の第１の端部４８で、前記第１の基本繊維１２と絡み合わされ、前記第２の部分８は、前記第２の部分８の第２の端部４９で、前記第２の基本繊維１４と絡み合わされ、
前記第１の基本繊維１２と前記第２の基本繊維とは互いに接続されて、前記第２の部分８を含む前記レイヤ１１内にループ４４が生成され、
前記ループ４４は、前記第１の部分１０から延びており、前記ループ４４は、１つ以上の繊維の頂点４５と、前記ループ４４の第１のパート４６と、前記ループ４４の第２のパート４７と、を有し、
前記頂点４５は、前記第１の部分１０から空間的に離れており、
前記ループ４４の前記第１のパート４６は、前記第１の基本繊維１２から、前記頂点４５に向けて延びており、
前記ループ４４の前記第２のパート４７は、前記ループ４４の前記第１のパート４６に対向し、前記ループ４４の前記第２のパート４７は、前記第２の基本繊維１４から、前記頂点４５に向けて延びており、
前記第２の部分８は、前記第１の部分１０と一体化している。
【００８４】
前述の導電性ニットパッチ２に関し、別の実施形態では、前記第１のパート４６及び前記第２のパート４７の少なくとも１つは、前記ループの延びを容易に維持するための非導電性繊維６を備える。
【００８５】
前述の導電性ニットパッチ２に関し、別の実施形態では、
第１の基本繊維１２は第１の非導電性繊維６に結合されており、
第２の基本繊維１４は第２の非導電性繊維６に結合されてよく、
第１及び第２の非導電性繊維６の各々は、レイヤ１１と一体化されている。
【００８６】
前述の導電性ニットパッチ２に関し、別の実施形態では、
前記第１の非導電性繊維６及び前記第２の非導電性繊維６の少なくとも１つは、隣接する導電性繊維４に結合されてよく、
前記ループ４４を隣接するループ（例えばループ３４）に電気的に接続するために、前記隣接する導電性繊維４は、前記ループ４４の前記第１のパート４６及び前記ループ４４の前記第２のパート４７の少なくとも１つに隣接する前記基本布表面１０から延びている。
【００８７】
前述の導電性ニットパッチ２に関し、別の実施形態では、
前記第１の基本繊維１２は、前記ループ４４の前記第１のパート４６に配置され、
前記第２の基本繊維１４は、前記ループ４４の前記第２のパート４７に配置される。
【００８８】
前述の導電性ニットパッチ２に関し、別の実施形態では、前記第１の基本繊維１２及び前記第２の基本繊維１４は、前記集めるステップを実行中、前記第１の基本繊維１２及び前記第２の基本繊維１４が互いに隣接するように、前記レイヤ１１の前記第１の部分１０に配置されてよい。
【００８９】
前述の導電性ニットパッチ２に関し、別の実施形態では、
前記レイヤは、第２のループ３４を備えてよく、
前記第２のループは、前記基本布表面１０から延びており、前記第２のループは、前記第１の部分１０から空間的に離れた１つ以上の繊維の第２の頂点４５を有し、
前記第２のループ３４は、前記第１のループ４４と前記第２の基本繊維１４との間に配置される。
【００９０】
前述の導電性ニットパッチ２に関し、別の実施形態では、前記ループ４４と前記第２のループ３４との間に電気的絶縁を与えるために、前記第１のパート４６及び前記第２のパート４７の少なくとも１つは、非導電性繊維６を備える。
【００９１】
前述の議論に関し、一実施形態では、衣類１は導電性パッチ２を備える。
【００９２】
前述の衣類１に関し、別の実施形態では、
前記衣類１は、前記レイヤ１１に接続された１つ以上の電気的コネクタ３５０３、３５０４と、電気経路と、を備える。
前記１つ以上の電気的コネクタ３５０３、３５０４は、制御器３５０８が前記導電性パッチ２に接続されたときの、前記制御器３５０８と前記導電性パッチ２との間の電気信号の受信及び送信を容易にするためのものであり、
前記電気経路は、１つ以上の導電性繊維３５０２から構成され、
前記導電性繊維３５０２は、複数の繊維の一部として、前記レイヤ１１内で絡み合わされており、
前記電気経路は、前記１つ以上の電気的コネクタ３５０３、３５０４及び前記導電性パッチ２に電気的に接続されている。
【００９３】
前述の衣類１に関し、別の実施形態では、
前記衣類１は、前記導電性パッチ２を含む第１の領域３０を前記レイヤ１１内に備え、前記衣類１は、前記第１の領域３０に隣接する第２の領域３２を前記レイヤ１１内に備え、
前記第１の領域３０は、前記第２の領域３２における前記複数の繊維の特性を反映した弾性に比べて、より低い度合いの、前記複数の繊維の特性を反映した弾性を有する。
【００９４】
前述の衣類１に関し、別の実施形態では、前記第２の領域３２は、前記導電性パッチ２を、前記レイヤ１１内の第２の導電性ニットパッチから電気的に絶縁するための非導電性繊維を含む。
【００９５】
前述の衣類１に関し、別の実施形態では、前記第１の領域３０における前記複数の繊維のニットタイプは、前記第２の領域３２における前記複数の繊維のニットタイプと異なる。このニットタイプの相違は、内部の複数の繊維の特性を反映した第１の領域３０の弾性の度合いが、内部の複数の繊維の特性を反映した第２の領域３２の弾性より低いことの要因となる。
【００９６】
前述の衣類１に関し、別の実施形態では、前記第１の領域３０における前記複数の繊維は、前記電気経路に接続された導電性繊維４と、非導電性繊維６と、を両方含む。
【００９７】
前述の衣類１に関し、別の実施形態では、前記第１の領域３０における前記複数の繊維は、前記第２の領域３２における前記複数の繊維より、高いニット密度（１インチあたりの繊維数）を有する。
【００９８】
前述の衣類１に関し、別の実施形態では、前記第１の領域３０における前記複数の繊維は、前記第２の領域３２における前記複数の繊維より、低い度合いの弾性を有する。
【００９９】
前述の衣類１に関し、別の実施形態では、前記第１の基本繊維１２と前記第２の基本繊維１４とは、編まれること又は縫われることにより結合される。
【０１００】
前述の衣類１に関し、別の実施形態では、着衣者が動いたときに、下方にある着衣者の身体部分に隣接する前記衣類１が運動することを禁止する目的で、前記ループ４４は、下方にある身体部分に接触するために、前記基本布表面１０から直交方向に延びる。
【０１０１】
前述の議論に関し、一実施形態は、本明細書に記載された方法により形成された導電性パッチ２である。
【０１０２】
前述の議論に関し、一実施形態は、本明細書に記載された方法により形成された導電性パッチ２を備える衣類１である。
【０１０３】
本発明の思想及び範囲（これは、添付の請求項でより詳しく説明される）を逸脱することなく、通常の従来技術を用いて、本発明に対するこれら及びその他の改良又は変形が行われてよい。更に、様々な実施形態の態様が、全体的又は部分的に、相互交換されてよい点を理解されたい。更に、前述の説明は例示に過ぎず、請求項で説明される本発明の限定を意図したものでないことを当業者は理解するだろう。従って、添付の請求項の思想及び範囲は、本明細書に記載された典型的な例に限定されるものではない。
【図１Ａ】
2018535335.tif 000003
【図１Ｂ】
2018535335.tif 000004
【図２Ａ】
2018535335.tif 000005
【図２Ｂ】
2018535335.tif 000006
【図３Ａ】
2018535335.tif 000007
【図３Ｂ】
2018535335.tif 000008
【図３Ｃ】
2018535335.tif 000009
【図４Ａ】
2018535335.tif 000010
【図４Ｂ】
2018535335.tif 000011
【図４Ｃ】
2018535335.tif 000012
【図５Ａ】
2018535335.tif 000013
【図５Ｂ】
2018535335.tif 000014
【図６Ａ】
2018535335.tif 000015
【図６Ｂ】
2018535335.tif 000016
【図６Ｃ】
2018535335.tif 000017
【図６Ｄ】
2018535335.tif 000018
【図７Ａ】
2018535335.tif 000019
【図７Ｂ】
2018535335.tif 000020
【図８】
2018535335.tif 000021
【図９Ａ】
2018535335.tif 000022
【図９Ｂ】
2018535335.tif 000023
【図９Ｃ】
2018535335.tif 000024
【図９Ｄ】
2018535335.tif 000025
【図１０】
2018535335.tif 000026
【図１１】
2018535335.tif 000027
【図１２】
2018535335.tif 000028
【国際調査報告】
2018535335.tif 000029
2018535335.tif 000030
2018535335.tif 000031